(57)【要約】【課題】ガス濃度の算出精度を向上させる【解決手段】マルチガス検出装置は、濃度出力算出部４０４と濃度算出部４０３，４０６，４０９と加重平均算出部４０５，４０７，４０８を備える。濃度算出部４０３，４０６は、第１ポンピング電流の値と、第１，２アンモニア起電力の値とに基づいてアンモニア濃度とＮＯ２濃度を算出する。濃度出力算出部４０４と濃度算出部４０９は、算出されたアンモニア濃度およびＮＯ２濃度と第２ポンピング電流の値とに基づいてＮＯｘ濃度を算出する。加重平均算出部４０５は、酸素濃度に対応して変化する第１ポンピング電流の応答速度を、ディジタルフィルタ処理により遅延させる。加重平均算出部４０７，４０８は、アンモニア濃度およびＮＯ２濃度に対応して変化する第１，２アンモニア起電力の応答速度を、ディジタルフィルタ処理により遅延させる。【選択図】図４
2018040723.tif 000002
【特許請求の範囲】
【請求項１】
測定室に導入される被測定ガス中の酸素の汲み出し又は汲み入れを行うことにより前記被測定ガス中の酸素濃度に応じて値が変化する第１ポンピング電流が流れる第１ポンピングセルと、前記第１ポンピングセルにて前記測定室内における酸素濃度が調整された前記被測定ガスに含まれる窒素酸化物の濃度に応じて値が変化する第２ポンピング電流が流れる第２ポンピングセルとを備えた第１検出部と、
前記被測定ガスに含まれるアンモニアおよび二酸化窒素の濃度に応じて値が変化する濃度信号を出力する第２検出部と
を備えるマルチガスセンサを用いて、前記被測定ガスに含まれるアンモニア、二酸化窒素および窒素酸化物の濃度を算出する濃度算出装置であって、
前記被測定ガス中の酸素濃度に対応して変化する前記第１ポンピング電流の応答速度を、ディジタルフィルタ処理により遅延させるように構成された第１遅延部と、
前記被測定ガス中のアンモニア濃度および二酸化窒素濃度に対応して変化する前記濃度信号の応答速度を、ディジタルフィルタ処理により遅延させるように構成された第２遅延部と
を備える濃度算出装置。
【請求項２】
請求項１に記載の濃度算出装置であって、
前記第１ポンピング電流の値と、前記濃度信号の値とに基づいて、前記被測定ガス中のアンモニア濃度および二酸化窒素濃度を算出するように構成された第１濃度算出部と、
前記第１濃度算出部により算出されたアンモニア濃度および二酸化窒素濃度と、前記第２ポンピング電流の値とに基づいて、前記被測定ガス中の窒素酸化物濃度を算出するように構成された第２濃度算出部とを備え、
前記第１遅延部は、前記第１検出部における前記第１ポンピング電流の値の変化が前記第１濃度算出部における前記二酸化窒素濃度および前記アンモニア濃度の算出に反映されるまでの時間をディジタルフィルタ処理により遅延させるように構成され、
前記第２遅延部は、前記第２検出部における前記濃度信号の値の変化が前記第２濃度算出部における窒素酸化物濃度の算出に反映されるまでの時間をディジタルフィルタ処理により遅延させるように構成される濃度算出装置。
【請求項３】
請求項１または請求項２に記載の濃度算出装置であって、
前記第１遅延部によるディジタルフィルタ処理と、前記第２遅延部によるディジタルフィルタ処理の少なくとも一方は、加重平均である濃度算出装置。
【発明の詳細な説明】
【技術分野】
【０００１】
本開示は、マルチガスセンサを用いてガス濃度を算出する濃度算出装置に関する。
【背景技術】
【０００２】
特許文献１のように、被測定ガスに含まれる窒素酸化物およびアンモニアの濃度をそれぞれ検出するＮＯｘ検出部およびアンモニア検出部を備えるマルチガスセンサを用いて、被測定ガスに含まれるアンモニア、二酸化窒素および窒素酸化物の濃度を算出する装置が知られている。
【先行技術文献】
【特許文献】
【０００３】
【特許文献１】特開２０１５−３４８１４号公報
【発明の概要】
【発明が解決しようとする課題】
【０００４】
特許文献１に記載の装置では、被測定ガスに含まれるガスの濃度が変動する環境下において、算出されたガス濃度の精度が低下するという問題があった。
本開示は、ガス濃度の算出精度を向上させることを目的とする。
【課題を解決するための手段】
【０００５】
本開示の一態様は、第１検出部と、第２検出部とを備えるマルチガスセンサを用いて、被測定ガスに含まれるアンモニア、二酸化窒素および窒素酸化物の濃度を算出する濃度算出装置であり、第１遅延部と、第２遅延部とを備える。
【０００６】
第１検出部は、第１ポンピングセルと、第２ポンピングセルとを備える。第１ポンピングセルでは、測定室に導入される被測定ガス中の酸素の汲み出し又は汲み入れを行うことにより被測定ガス中の酸素濃度に応じて値が変化する第１ポンピング電流が流れる。第２ポンピングセルでは、第１ポンピングセルにて測定室内における酸素濃度が調整された被測定ガスに含まれる窒素酸化物の濃度に応じて値が変化する第２ポンピング電流が流れる。第２検出部は、被測定ガスに含まれるアンモニアおよび二酸化窒素の濃度に応じて値が変化する濃度信号を出力する。
【０００７】
第１遅延部は、被測定ガス中の酸素濃度に対応して変化する第１ポンピング電流の応答速度を、ディジタルフィルタ処理により遅延させるように構成される。第２遅延部は、被測定ガス中のアンモニア濃度および二酸化窒素濃度に対応して変化する濃度信号の応答速度を、ディジタルフィルタ処理により遅延させるように構成される。
【０００８】
なお、上記の第１ポンピング電流の応答速度とは、被測定ガス中の酸素濃度の変化に応じて第１ポンピング電流の値が変化するのに要する時間である。また、上記の濃度信号の応答速度とは、被測定ガス中のアンモニア濃度および二酸化窒素濃度の変化に応じて濃度信号の値が変化するのに要する時間である。また、第２ポンピング電流の応答速度とは、被測定ガス中の窒素酸化物濃度の変化に応じて第２ポンピング電流の値が変化するのに要する時間である。
【０００９】
また、第１検出部および第２検出部が一体化されたマルチセンサでは、被測定ガスが流通する被測定ガス雰囲気に対して第１検出部および第２検出部が略同位置に配置される構成になっており、第１ポンピング電流、第２ポンピング電流および濃度信号の応答速度の中では、第１ポンピング電流の応答速度が最も速く、濃度信号の応答速度がその次に速く、第２ポンピング電流の応答速度が最も遅い傾向がある。
【００１０】
このように構成された本開示の濃度算出装置は、第１遅延部により第１ポンピング電流の応答速度を遅延させるため、第１ポンピング電流の応答速度と濃度信号の応答速度との差を小さくすることができる。これにより、濃度算出装置は、第１ポンピング電流の値と濃度信号の値を用いてアンモニア濃度および二酸化窒素濃度を算出するときに、第１ポンピング電流の応答速度と濃度信号の応答速度との差の影響を抑制し、アンモニア濃度および二酸化窒素濃度の算出精度を向上させることができる。
【００１１】
さらに、本開示の濃度算出装置は、第２遅延部により濃度信号の応答速度を遅延させるため、濃度信号の応答速度と第２ポンピング電流の応答速度との差を小さくすることができる。これにより、濃度算出装置は、アンモニア濃度および二酸化窒素濃度を用いて、窒素酸化物濃度を算出するときに、濃度信号の応答速度と第２ポンピング電流の応答速度との差の影響を抑制し、窒素酸化物濃度の算出精度を向上させることができる。
【００１２】
本開示の一態様は、第１濃度算出部と、第２濃度算出部とを備えるようにしてもよい。第１濃度算出部は、第１ポンピング電流の値と、濃度信号の値とに基づいて、被測定ガス中のアンモニア濃度および二酸化窒素濃度を算出するように構成される。第２濃度算出部は、第１濃度算出部により算出されたアンモニア濃度および二酸化窒素濃度と、第２ポンピング電流の値とに基づいて、被測定ガス中の窒素酸化物濃度を算出するように構成される。
【００１３】
そして本開示の一態様では、第１遅延部は、第１検出部における第１ポンピング電流の値の変化が第１濃度算出部における二酸化窒素濃度およびアンモニア濃度の算出に反映されるまでの時間をディジタルフィルタ処理により遅延させるように構成されるようにしてもよい。さらに、第２遅延部は、第２検出部における濃度信号の値の変化が第２濃度算出部における窒素酸化物濃度の算出に反映されるまでの時間をディジタルフィルタ処理により遅延させるように構成されるようにしてもよい。
【００１４】
本開示の一態様では、第１遅延部によるディジタルフィルタ処理と、第２遅延部によるディジタルフィルタ処理の少なくとも一方が、加重平均であるようにしてもよい。これにより、本開示の濃度算出装置は、加重平均という簡便なディジタルフィルタ処理で応答速度を遅延させることができるため、濃度算出装置の処理負荷を低減することができる。
【図面の簡単な説明】
【００１５】
【図１】マルチガスセンサ２の内部構造を示す断面図である。
【図２】センサ素子部５と制御部３の概略構成を示す図である。
【図３】第１アンモニア検出部１０２と第２アンモニア検出部１０３の構造を示す断面図である。
【図４】第１実施形態のマイコン１９０が実行する処理の概要を示す機能ブロック図である。
【図５】第２実施形態のマイコン１９０が実行する処理の概要を示す機能ブロック図である。
【発明を実施するための形態】
【００１６】
（第１実施形態）
以下に本開示の第１実施形態を図面とともに説明する。
本実施形態のマルチガス検出装置は、車両に搭載され、ディーゼルエンジンから排出される排気ガスに含まれる窒素酸化物を浄化する尿素ＳＣＲシステムに用いられるものである。より具体的には、マルチガス検出装置は、排気ガスに含まれるアンモニア、二酸化窒素および窒素酸化物の濃度を検出する。以下、マルチガス検出装置を搭載する車両を自車両という。二酸化窒素および窒素酸化物をそれぞれ、ＮＯ２およびＮＯｘともいう。また、ＳＣＲは、Selective Catalytic Reductionの略である。
【００１７】
マルチガス検出装置は、図１に示すマルチガスセンサ２と、図２に示す制御部３とを備える。
マルチガスセンサ２は、図１に示すように、センサ素子部５と、主体金具１０と、セパレータ３４と、接続端子３８とを備える。なお、以下の説明では、マルチガスセンサ２のセンサ素子部５が配置されている側（すなわち、図１の下側）を先端側、接続端子３８が配置されている側（すなわち、図１の上側）を後端側という。
【００１８】
センサ素子部５は、軸線Ｏ方向に延びる板形状を有する。センサ素子部５の後端には電極端子部５Ａ，５Ｂが配置されている。図１においては、図示を容易にするために、センサ素子部５に形成された電極端子部を、電極端子部５Ａおよび電極端子部５Ｂのみとしているが、実際には、後述するＮＯｘ検出部１０１、第１アンモニア検出部１０２および第２アンモニア検出部１０３が有する電極等の数に応じて複数の電極端子部が形成されている。
【００１９】
主体金具１０は、マルチガスセンサ２をディーゼルエンジンの排気管に固定するネジ部１１が外表面に形成された筒状の部材である。主体金具１０は、軸線Ｏ方向に貫通する貫通孔１２と、貫通孔１２の径方向内側に突出する棚部１３とを備える。棚部１３は、貫通孔１２の径方向外側から中心に向かって先端側へ近づく傾きを有する内向きのテ―パ面として形成されている。
【００２０】
主体金具１０は、センサ素子部５の先端側を、貫通孔１２から先端側に突出させ、センサ素子部５の後端側を貫通孔１２の後端側に突出させた状態で保持する。
主体金具１０の貫通孔１２の内部には、先端側から後端側に向かって順に、センサ素子部５の径方向周囲を取り囲む筒状の部材であるセラミックホルダ１４と、粉末充填層である滑石リング１５，１６と、セラミックスリーブ１７とが積層されている。
【００２１】
セラミックスリーブ１７と主体金具１０の後端側の端部との間には、加締めパッキン１８が配置されている。セラミックホルダ１４と主体金具１０の棚部１３との間には、金属ホルダ１９が配置されている。金属ホルダ１９は、内部に滑石リング１５とセラミックホルダ１４が収容され、滑石リング１５が圧縮充填されることによって金属ホルダ１９と滑石リング１５とは気密状に一体化されている。主体金具１０の後端側の端部は、加締めパッキン１８を介してセラミックスリーブ１７を先端側に向かって押し付けるように加締められる部分である。また、滑石リング１６が主体金具１０の内部で圧縮充填されることで、主体金具１０の内周面とセンサ素子部５の外周面との間の気密が確保されている。
【００２２】
主体金具１０の先端側の端部には、ガス流通孔付きの外部プロテクタ２１およびガス流通孔付きの内部プロテクタ２２が設けられている。外部プロテクタ２１および内部プロテクタ２２は、先端側の端部が閉塞されたステンレス鋼などの金属材料から形成された筒状の部材である。内部プロテクタ２２は、センサ素子部５の先端側の端部を覆った状態で主体金具１０に溶接され、外部プロテクタ２１は、内部プロテクタ２２を覆った状態で主体金具１０に溶接されている。
【００２３】
主体金具１０の後端側の端部外周には、筒状に形成された外筒３１の先端側の端部が溶接によって固定されている。さらに、外筒３１の後端側の端部である開口には、この開口を閉塞するグロメット３２が配置されている。
【００２４】
グロメット３２には、リード線４１が挿入されるリード線挿入孔３３が形成されている。リード線４１は、センサ素子部５の電極端子部５Ａおよび電極端子部５Ｂに電気的に接続される。
【００２５】
セパレータ３４は、センサ素子部５の後端側に配置された筒状に形成された部材である。セパレータ３４の内部に形成された空間は、軸線Ｏ方向に貫通する挿入孔３５である。セパレータ３４の外表面には、径方向外側に突出する鍔部３６が形成されている。
【００２６】
セパレータ３４の挿入孔３５には、センサ素子部５の後端部が挿入され、電極端子部５Ａ，５Ｂがセパレータ３４の内部に配置される。
セパレータ３４と外筒３１との間には、筒状に形成された金属製の保持部材３７が配置されている。保持部材３７は、セパレータ３４の鍔部３６と接触するとともに外筒３１の内面と接触することにより、セパレータ３４を外筒３１に対して固定した状態で保持する。
【００２７】
接続端子３８は、セパレータ３４の挿入孔３５内に配置される部材であり、センサ素子部５の電極端子部５Ａおよび電極端子部５Ｂと、リード線４１とをそれぞれ独立に電気的に接続する導電部材である。なお、図１では、図示を容易にするために、２つの接続端子３８のみが図示されている。
【００２８】
マルチガス検出装置の制御部３は、図２に示すように、自車両に搭載された電子制御装置２００と電気的に接続されている。電子制御装置２００は、制御部３で算出された排気ガス中のＮＯ２濃度、ＮＯｘ濃度およびアンモニア濃度（ＮＨ３濃度）を示すデータを受信し、受信データに基づいてディーゼルエンジンの運転状態の制御処理を実行したり、触媒に蓄積されたＮＯｘの浄化処理を実行したりする。
【００２９】
センサ素子部５は、ＮＯｘ検出部１０１と、第１アンモニア検出部１０２と、第２アンモニア検出部１０３を備える。なお、第２アンモニア検出部１０３は、図２には示されておらず、図３に示されている。第１アンモニア検出部１０２および第２アンモニア検出部１０３は、ＮＯｘ検出部１０１の長手方向（すなわち、図２の左右方向）における基準電極１４３と略同位置において、ＮＯｘ検出部１０１の幅方向（すなわち、図２の奥行き方向）における位置が互いに異なるように並列に配置されている。このため、図２では、第１アンモニア検出部１０２と第２アンモニア検出部１０３のうち、第１アンモニア検出部１０２のみを示している。
【００３０】
ＮＯｘ検出部１０１は、絶縁層１１３、セラミック層１１４、絶縁層１１５、セラミック層１１６、絶縁層１１７、セラミック層１１８、絶縁層１１９および絶縁層１２０が順次積層されて構成されている。絶縁層１１３，１１５，１１７，１１９，１２０、および、セラミック層１１４，１１６，１１８は、アルミナを主体として形成されている。
【００３１】
ＮＯｘ検出部１０１は、セラミック層１１４とセラミック層１１６との間に形成される第１測定室１２１を備える。ＮＯｘ検出部１０１は、第１測定室１２１に隣接するようにしてセラミック層１１４とセラミック層１１６との間に配置された拡散抵抗体１２２を介して、外部から第１測定室１２１の内部に排気ガスを導入する。拡散抵抗体１２２は、アルミナ等の多孔質材料で形成されている。
【００３２】
ＮＯｘ検出部１０１は、第１ポンピングセル１３０を備える。第１ポンピングセル１３０は、固体電解質層１３１と、ポンピング電極１３２，１３３を備える。
固体電解質層１３１は、酸素イオン導電性を有するジルコニアを主体として形成されている。第１測定室１２１と接触する領域における一部分のセラミック層１１４が除去され、セラミック層１１４の代わりに固体電解質層１３１が充填（埋設）されている。
【００３３】
ポンピング電極１３２，１３３は、白金を主体として形成されている。ポンピング電極１３２は、固体電解質層１３１において第１測定室１２１と接触する面上に配置される。ポンピング電極１３３は、固体電解質層１３１を挟んでポンピング電極１３２とは反対側で固体電解質層１３１の面上に配置される。ポンピング電極１３３が配置された領域とその周辺の領域の絶縁層１１３は除去され、絶縁層１１３の代わりに多孔質体１３４が充填される。多孔質体１３４は、ポンピング電極１３３と外部との間でガス（例えば、酸素）の出入りを可能とする。
【００３４】
ＮＯｘ検出部１０１は、酸素濃度検出セル１４０を備える。酸素濃度検出セル１４０は、固体電解質層１４１と、検知電極１４２と、基準電極１４３を備える。
固体電解質層１４１は、酸素イオン導電性を有するジルコニアを主体として形成されている。固体電解質層１３１よりも後端側（すなわち、図２の右側）の領域における一部分のセラミック層１１６が除去され、セラミック層１１６の代わりに固体電解質層１４１が充填（埋設）されている。
【００３５】
検知電極１４２と基準電極１４３は、白金を主体として形成されている。検知電極１４２は、固体電解質層１４１における第１測定室１２１と接触する面上に配置される。基準電極１４３は、固体電解質層１４１を挟んで検知電極１４２とは反対側で固体電解質層１４１の面上に配置される。
【００３６】
ＮＯｘ検出部１０１は、基準酸素室１４６を備える。基準酸素室１４６は、基準電極１４３が配置された領域とその周辺の領域の絶縁層１１７が除去されることにより形成された貫通孔である。
【００３７】
ＮＯｘ検出部１０１は、第１測定室１２１の下流側に第２測定室１４８を備える。第２測定室１４８は、検知電極１４２および基準電極１４３よりも後端側で固体電解質層１４１および絶縁層１１７を貫通して形成される。ＮＯｘ検出部１０１は、第１測定室１２１から排出された排気ガスを第２測定室１４８の内部に導入する。
【００３８】
ＮＯｘ検出部１０１は、第２ポンピングセル１５０を備える。第２ポンピングセル１５０は、固体電解質層１５１と、ポンピング電極１５２，１５３を備える。
固体電解質層１５１は、酸素イオン導電性を有するジルコニアを主体として形成されている。基準酸素室１４６および第２測定室１４８と接触する領域とその周辺の領域のセラミック層１１８が除去され、セラミック層１１８の代わりに固体電解質層１５１が充填（埋設）されている。
【００３９】
ポンピング電極１５２，１５３は、白金を主体として形成されている。ポンピング電極１５２は、固体電解質層１５１において第２測定室１４８と接触する面上に配置される。ポンピング電極１５３は、基準酸素室１４６を挟んで基準電極１４３とは反対側で固体電解質層１５１の面上に配置される。基準酸素室１４６の内部において、ポンピング電極１５３を覆うように多孔質体１４７が配置されている。
【００４０】
ＮＯｘ検出部１０１は、ヒータ１６０を備える。ヒータ１６０は、白金を主体として形成され、通電されることで発熱する発熱抵抗体であり、絶縁層１１９と絶縁層１２０との間に配置される。
【００４１】
第１アンモニア検出部１０２は、ＮＯｘ検出部１０１の外表面、より具体的には、絶縁層１２０の上に形成されている。第１アンモニア検出部１０２は、ＮＯｘ検出部１０１における基準電極１４３と軸線Ｏ方向（すなわち、図２の左右方向）に略同位置に配置されている。
【００４２】
第１アンモニア検出部１０２は、絶縁層１２０の上に形成される第１基準電極２１１と、第１基準電極２１１の表面および側面を覆う第１固体電解質体２１２と、第１固体電解質体２１２の表面に形成される第１検知電極２１３とを備える。同様に、第２アンモニア検出部１０３は、図３に示すように、絶縁層１２０の上に形成される第２基準電極２２１と、第２基準電極２２１の表面および側面を覆う第２固体電解質体２２２と、第２固体電解質体２２２の表面に形成される第２検知電極２２３とを備える。
【００４３】
第１基準電極２１１および第２基準電極２２１は、電極材として白金を主体に構成されており、具体的には、Ｐｔおよび酸化ジルコニウムを含む材料から構成されている。第１固体電解質体２１２および第２固体電解質体２２２は、イットリア安定化ジルコニア等の酸素イオン伝導性材料で構成されている。第１検知電極２１３および第２検知電極２２３は、電極材として金を主体に構成されており、具体的には、Ａｕおよび酸化ジルコニウムを含む材料から構成されている。なお、第１検知電極２１３および第２検知電極２２３の電極材は、アンモニアに対する感度とＮＯｘに対する感度との比が第１アンモニア検出部１０２および第２アンモニア検出部１０３において異なるように、選択されている。
【００４４】
また、第１アンモニア検出部１０２および第２アンモニア検出部１０３は、多孔質からなる保護層２３０によって一体に覆われている。保護層２３０は、第１検知電極２１３および第２検知電極２２３への被毒物質の付着を防止するとともに、外部から第１アンモニア検出部１０２および第２アンモニア検出部１０３に流入するアンモニアの拡散速度を調整するものである。このように、第１アンモニア検出部１０２および第２アンモニア検出部１０３は混成電位式のセンシング部として機能する。
【００４５】
図２に示すように、制御部３は、制御回路１８０と、マイクロコンピュータ１９０（以下、マイコン１９０）を備える。
制御回路１８０は、回路基板上に配置されたアナログ回路である。制御回路１８０は、Ｉｐ１ドライブ回路１８１、Ｖｓ検出回路１８２、基準電圧比較回路１８３、Ｉｃｐ供給回路１８４、Ｖｐ２印加回路１８５、Ｉｐ２検出回路１８６、ヒータ駆動回路１８７および起電力検出回路１８８を備える。
【００４６】
そして、ポンピング電極１３２、検知電極１４２およびポンピング電極１５２は、基準電位に接続される。ポンピング電極１３３は、Ｉｐ１ドライブ回路１８１に接続される。基準電極１４３は、Ｖｓ検出回路１８２とＩｃｐ供給回路１８４に接続される。ポンピング電極１５３は、Ｖｐ２印加回路１８５とＩｐ２検出回路１８６に接続される。ヒータ１６０は、ヒータ駆動回路１８７に接続される。
【００４７】
Ｉｐ１ドライブ回路１８１は、ポンピング電極１３２とポンピング電極１３３との間に電圧Ｖｐ１を印加して第１ポンピング電流Ｉｐ１を供給するとともに、供給した第１ポンピング電流Ｉｐ１を検出する。
【００４８】
Ｖｓ検出回路１８２は、検知電極１４２と基準電極１４３との間の電圧Ｖｓを検出し、検出した結果を基準電圧比較回路１８３へ出力する。
基準電圧比較回路１８３は、基準電圧（例えば、４２５ｍＶ）とＶｓ検出回路１８２の出力（すなわち、電圧Ｖｓ）とを比較し、比較結果をＩｐ１ドライブ回路１８１へ出力する。そしてＩｐ１ドライブ回路１８１は、電圧Ｖｓが基準電圧と等しくなるように、第１ポンピング電流Ｉｐ１の流れる向きと第１ポンピング電流Ｉｐ１の大きさとを制御するとともに、第１測定室１２１内の酸素濃度を、ＮＯｘが分解しない程度の所定値に調整する。
【００４９】
Ｉｃｐ供給回路１８４は、検知電極１４２と基準電極１４３との間に微弱な電流Ｉｃｐを流す。これにより、酸素が第１測定室１２１から固体電解質層１４１を介して基準酸素室１４６に送り込まれるため、基準酸素室１４６は、基準となる所定の酸素濃度に設定される。
【００５０】
Ｖｐ２印加回路１８５は、ポンピング電極１５２とポンピング電極１５３との間に、一定電圧Ｖｐ２（例えば、４５０ｍＶ）を印加する。これにより、第２測定室１４８では、第２ポンピングセル１５０を構成するポンピング電極１５２，１５３の触媒作用によって、ＮＯｘが解離される。この解離により得られた酸素イオンがポンピング電極１５２とポンピング電極１５３との間の固体電解質層１５１を移動することにより第２ポンピング電流Ｉｐ２が流れる。Ｉｐ２検出回路１８６は、第２ポンピング電流Ｉｐ２を検出する。
【００５１】
ヒータ駆動回路１８７は、発熱抵抗体であるヒータ１６０の一端にヒータ通電用の正電圧を印加するともに、ヒータ１６０の他端にヒータ通電用の負電圧を印加することにより、ヒータ１６０を駆動する。
【００５２】
起電力検出回路１８８は、第１基準電極２１１と第１検知電極２１３との間の起電力（以下、第１アンモニア起電力）と、第２基準電極２２１と第２検知電極２２３との間の起電力（以下、第２アンモニア起電力）を検出し、検出結果を示す信号をマイコン１９０へ出力する。
【００５３】
マイコン１９０は、ＣＰＵ１９１、ＲＯＭ１９２、ＲＡＭ１９３および信号入出力部１９４を備える。
ＣＰＵ１９１は、ＲＯＭ１９２に記憶されたプログラムに基づいて、センサ素子部５を制御するための処理を実行する。信号入出力部１９４は、Ｉｐ１ドライブ回路１８１、Ｖｓ検出回路１８２、Ｉｐ２検出回路１８６、ヒータ駆動回路１８７および起電力検出回路１８８に接続される。信号入出力部１９４は、Ｉｐ１ドライブ回路１８１、Ｖｓ検出回路１８２、Ｉｐ２検出回路１８６および起電力検出回路１８８からのアナログ信号の電圧値をディジタルデータに変換してＣＰＵ１９１へ出力する。
【００５４】
またＣＰＵ１９１は、信号入出力部１９４を介してヒータ駆動回路１８７へ駆動信号を出力することにより、ヒータ１６０に供給する電力をパルス幅変調により通電制御して、ヒータ１６０が目標の温度になるようにしている。なお、ヒータ１６０の通電制御は、ＮＯｘ検出部１０１を構成するセル（例えば、酸素濃度検出セル１４０）のインピーダンスを検出し、検出したインピーダンスが目標値となるように供給電力量を制御する公知の手法によって実現することができる。
【００５５】
またＣＰＵ１９１は、ＲＯＭ１９２から各種データを読み込み、第１ポンピング電流Ｉｐ１の値、第２ポンピング電流Ｉｐ２の値、第１アンモニア起電力の値および第２アンモニア起電力の値から種々の演算処理を行う。
【００５６】
ＲＯＭ１９２は、「第１アンモニア起電力−第１アンモニア濃度出力関係式」、「第２アンモニア起電力−第２アンモニア濃度出力関係式」、「第１ポンピング電流−酸素濃度関係式」、「第２ポンピング電流−ＮＯｘ濃度出力関係式」、「第１アンモニア濃度出力＆第２アンモニア濃度出力＆酸素濃度−補正アンモニア濃度関係式」、「第１アンモニア濃度出力＆第２アンモニア濃度出力＆酸素濃度−補正ＮＯ２濃度関係式」、「ＮＯｘ濃度出力＆補正アンモニア濃度＆補正ＮＯ２濃度−補正ＮＯｘ濃度関係式」を記憶する。
【００５７】
なお、「第１アンモニア濃度出力＆第２アンモニア濃度出力＆酸素濃度−補正アンモニア濃度関係式」は下記の補正式（１）に相当する。「第１アンモニア濃度出力＆第２アンモニア濃度出力＆酸素濃度−補正ＮＯ２濃度関係式」は下記の補正式（２）に相当する。「ＮＯｘ濃度出力＆補正アンモニア濃度＆補正ＮＯ２濃度−補正ＮＯｘ濃度関係式」は下記の補正式（３）に相当する。
【００５８】
また、各種データは、上述のように所定の関係式として設定されていてもよいし、センサの出力から各種ガス濃度を算出するものであればよく、例えばテーブルとして設定されていてもよい。その他にも、予めガス濃度が既知のガスモデルを用いて得られた値とされていてもよい。
【００５９】
「第１アンモニア起電力−第１アンモニア濃度出力関係式」および「第２アンモニア起電力−第２アンモニア濃度出力関係式」は、第１アンモニア検出部１０２および第２アンモニア検出部１０３から出力されたアンモニア起電力と、アンモニア濃度出力との関係を表す式である。
【００６０】
「第１ポンピング電流−酸素濃度関係式」は、第１ポンピング電流と、排気ガス中の酸素濃度（Ｏ２濃度）との関係を表す式である。「第２ポンピング電流−ＮＯｘ濃度出力関係式」は、第２ポンピング電流と、ＮＯｘ濃度出力との関係を表す式である。
【００６１】
「第１アンモニア濃度出力＆第２アンモニア濃度出力＆酸素濃度−補正アンモニア濃度関係式」は、酸素濃度、アンモニア濃度およびＮＯ２濃度の影響を受けた第１，２アンモニア濃度出力と、酸素濃度およびＮＯ２濃度の影響を除去した補正アンモニア濃度との関係を表す式である。「第１アンモニア濃度出力＆第２アンモニア濃度出力＆酸素濃度−補正ＮＯ２濃度関係式」は、酸素濃度、アンモニア濃度およびＮＯ２濃度の影響を受けた第１，２アンモニア濃度出力と、酸素濃度およびアンモニア濃度の影響を除去した補正ＮＯ２濃度との関係を表す式である。「ＮＯｘ濃度出力＆補正アンモニア濃度＆補正ＮＯ２濃度−補正ＮＯｘ濃度関係式」は、アンモニア濃度およびＮＯ２濃度の影響を受けたＮＯｘ濃度出力と、アンモニア濃度およびＮＯ２濃度の影響を除去した補正ＮＯｘ濃度との関係を表す式である。
【００６２】
次に、第１ポンピング電流Ｉｐ１、第２ポンピング電流Ｉｐ２、第１アンモニア起電力および第２アンモニア起電力から、ＮＯ２濃度、ＮＯｘ濃度およびアンモニア濃度を求める演算処理について説明する。この演算処理は、マイコン１９０のＣＰＵ１９１において実行される。
【００６３】
ＣＰＵ１９１は、第１ポンピング電流Ｉｐ１、第２ポンピング電流Ｉｐ２、第１アンモニア起電力および第２アンモニア起電力が入力されると、酸素濃度、ＮＯｘ濃度出力、第１アンモニア濃度出力および第２アンモニア濃度出力を求める演算処理を行う。具体的には、ＲＯＭ１９２から「第１アンモニア起電力−第１アンモニア濃度出力関係式」、「第２アンモニア起電力−第２アンモニア濃度出力関係式」、「第１ポンピング電流Ｉｐ１−酸素濃度関係式」、「第２ポンピング電流Ｉｐ２−ＮＯｘ濃度出力関係式」を呼び出し、これらの関係式を用いて酸素濃度および各濃度出力を算出する処理を行う。
【００６４】
なお、「第１アンモニア起電力−第１アンモニア濃度出力関係式」および「第２アンモニア起電力−第２アンモニア濃度出力関係式」は、第１アンモニア検出部１０２と第２アンモニア検出部１０３が使用環境中で出力し得るアンモニア起電力の全範囲において、被測定ガス中のアンモニア濃度とアンモニア検出部のアンモニア濃度出力とが概ね直線関係になるように設定された式である。このような換算式でもって換算することによって、後の補正式において、傾き及びオフセットの変化を利用した計算を可能とする。
【００６５】
そして、酸素濃度、ＮＯｘ濃度出力、第１アンモニア濃度出力および第２アンモニア濃度出力が求められると、ＣＰＵ１９１は、以下に説明する補正式を用いた演算を行うことで、排気ガス中のアンモニア濃度、ＮＯ２濃度およびＮＯｘ濃度を求める。
【００６６】
補正式（１）：ｘ＝Ｆ（Ａ，Ｂ，Ｄ）
＝（ｅＡ−ｃ）＊（ｊＢ−ｈ−ｆＡ＋ｄ）／（ｅＡ−ｃ−ｉＢ＋ｇ）＋ｆＡ−ｄ
補正式（２）：ｙ＝Ｆ’（Ａ，Ｂ，Ｄ）
＝（ｊＢ−ｈ−ｆＡ＋ｄ）／（ｅＡ−ｃ−ｉＢ＋ｇ）
補正式（３）：ｚ＝Ｃ−ａｘ＋ｂｙ
ここで、ｘはアンモニア濃度であり、ｙはＮＯ２濃度であり、ｚはＮＯｘ濃度である。また、Ａは第１アンモニア濃度出力であり、Ｂは第２アンモニア濃度出力であり、ＣはＮＯｘ濃度出力であり、Ｄは酸素濃度である。そして、式（１）のＦは、ｘが（Ａ，Ｂ，Ｄ）の関数であることを表し、式（２）のＦ’は、ｙが（Ａ，Ｂ，Ｄ）の関数であることを表す。さらに、ａ，ｂは補正係数であり、ｃ，ｄ，ｅ，ｆ，ｇ，ｈ，ｉ，ｊは酸素濃度Ｄを用いて計算される係数（すなわち、Ｄによって決まる係数）である。
【００６７】
ＣＰＵ１９１は、上述の補正式（１）〜（３）に、第１アンモニア濃度出力、第２アンモニア濃度出力、ＮＯｘ濃度出力および酸素濃度を代入して演算することによって、排気ガス中のアンモニア濃度、ＮＯ２濃度およびＮＯｘ濃度を求める。
【００６８】
なお、補正式（１）および補正式（２）は、第１アンモニア検出部１０２および第２アンモニア検出部１０３の特性に基づいて定まる式であり、補正式（３）はＮＯｘ検出部１０１の特性に基づいて定まる式である。また補正式（１）〜（３）は、あくまでも補正式の一例を示したものであり、ガス検知特性に応じて、他の補正式および係数等を適宜使用してもよい。
【００６９】
図４に示すように、マイコン１９０は、マイクロコンピュータが実行するソフトウェア処理により実現される機能ブロックとして、ローパスフィルタ（以下、ＬＰＦ）４０１，４０２、濃度算出部４０３，４０６，４０９、濃度出力算出部４０４および加重平均算出部４０５，４０７，４０８を備える。
【００７０】
マイクロコンピュータの各種機能は、ＣＰＵが非遷移的実体的記録媒体に格納されたプログラムを実行することにより実現される。この例では、ＲＯＭが、プログラムを格納した非遷移的実体的記録媒体に該当する。また、このプログラムの実行により、プログラムに対応する方法が実行される。なお、制御部３を構成するマイクロコンピュータの数は１つでも複数でもよい。また、マイコン１９０が実行する機能の一部または全部を、一つあるいは複数のＩＣ等によりハードウェア的に構成してもよい。
【００７１】
ＬＰＦ４０１は、第１アンモニア起電力を示すディジタルデータを取得し、時間経過による第１アンモニア起電力の変化を示す波形から、予め定められた遮断周波数以下の低周波成分を抽出するディジタル処理を行う。
【００７２】
ＬＰＦ４０２は、第２アンモニア起電力を示すディジタルデータを取得し、時間経過による第２アンモニア起電力の変化を示す波形から、予め定められた遮断周波数以下の低周波成分を抽出するディジタル処理を行う。
【００７３】
濃度算出部４０３は、第１ポンピング電流Ｉｐ１を示すディジタルデータを取得し、「第１ポンピング電流−酸素濃度関係式」に基づいて、酸素濃度を算出する。
濃度出力算出部４０４は、第２ポンピング電流Ｉｐ２を示すディジタルデータを取得し、「第２ポンピング電流Ｉｐ２−ＮＯｘ濃度出力関係式」に基づいて、ＮＯｘ濃度出力を算出する。
【００７４】
加重平均算出部４０５は、酸素濃度を示すディジタルデータを濃度算出部４０３から取得し、今回取得したディジタルデータが示す酸素濃度（以下、今回酸素濃度）と、加重平均算出部４０５において前回算出した酸素濃度（以下、前回酸素濃度）との加重平均を算出する。具体的には、今回酸素濃度をＡ、前回酸素濃度をＢ、今回酸素濃度の重み係数をｘ、前回酸素濃度の重み係数をｙとして、（ｘＡ＋ｙＢ）／（ｘ＋ｙ）により加重平均を算出する。本実施形態では、例えば、今回酸素濃度の重み係数は１、前回酸素濃度の重み係数は４０である。これにより、ＮＯｘ検出部１０１における酸素濃度に対する第１ポンピング電流Ｉｐ１の応答速度と、第１，２アンモニア検出部１０２，１０３におけるＮＯ２濃度とアンモニア濃度に対する第１，２アンモニア起電力の応答速度とを一致させることができる。
【００７５】
濃度算出部４０６は、第１アンモニア起電力を示すディジタルデータをＬＰＦ４０１から取得し、第２アンモニア起電力を示すディジタルデータをＬＰＦ４０２から取得し、酸素濃度を示すディジタルデータを加重平均算出部４０５から取得する。そして濃度算出部４０６は、「第１アンモニア起電力−第１アンモニア濃度出力関係式」、「第２アンモニア起電力−第２アンモニア濃度出力関係式」および「第１アンモニア濃度出力＆第２アンモニア濃度出力＆酸素濃度−補正アンモニア濃度関係式」に基づいて、アンモニア濃度を算出する。また濃度算出部４０６は、「第１アンモニア濃度出力＆第２アンモニア濃度出力＆酸素濃度−補正ＮＯ２濃度関係式」に基づいて、ＮＯ２濃度を算出する。
【００７６】
加重平均算出部４０７は、アンモニア濃度を示すディジタルデータを濃度算出部４０６から取得し、今回取得したディジタルデータが示すアンモニア濃度（以下、今回アンモニア濃度）と、加重平均算出部４０７において前回算出したアンモニア濃度（以下、前回アンモニア濃度）との加重平均を算出する。本実施形態では、例えば、今回アンモニア濃度の重み係数は１、前回アンモニア濃度の重み係数は２０である。これにより、ＮＯｘ検出部１０１におけるＮＯｘ濃度に対する第２ポンピング電流Ｉｐ２の応答速度と、第１，２アンモニア検出部１０２，１０３におけるアンモニア濃度に対する第１，２アンモニア起電力の応答速度とを一致させることができる。
【００７７】
加重平均算出部４０８は、ＮＯ２濃度を示すディジタルデータを濃度算出部４０６から取得し、今回取得したディジタルデータが示すＮＯ２濃度（以下、今回ＮＯ２濃度）と、加重平均算出部４０８において前回算出したＮＯ２濃度（以下、前回ＮＯ２濃度）との加重平均を算出する。本実施形態では、例えば、今回ＮＯ２濃度の重み係数は１、前回ＮＯ２濃度の重み係数は２０である。これにより、ＮＯｘ検出部１０１におけるＮＯｘ濃度に対する第２ポンピング電流Ｉｐ２の応答速度と、第１，２アンモニア検出部１０２，１０３におけるＮＯ２濃度に対する第１，２アンモニア起電力の応答速度とを一致させることができる。
【００７８】
濃度算出部４０９は、アンモニア濃度を示すディジタルデータを加重平均算出部４０７から取得し、ＮＯ２濃度を示すディジタルデータを加重平均算出部４０８から取得し、酸素濃度を示すディジタルデータを加重平均算出部４０５から取得し、ＮＯｘ濃度出力を示すディジタルデータを濃度出力算出部４０４から取得する。そして濃度算出部４０９は、「ＮＯｘ濃度出力＆補正アンモニア濃度＆補正ＮＯ２濃度−補正ＮＯｘ濃度関係式」に基づいて、ＮＯｘ濃度を算出する。
【００７９】
このように構成されたマルチガス検出装置は、ＮＯｘ検出部１０１と第１アンモニア検出部１０２と第２アンモニア検出部１０３とを備えるマルチガスセンサ２を用いて、排気ガスに含まれるアンモニア、ＮＯ２およびＮＯｘの濃度を算出する。
【００８０】
ＮＯｘ検出部１０１は、第１ポンピングセル１３０と、第２ポンピングセル１５０とを備える。第１ポンピングセル１３０では、第１測定室１２１に導入される排気ガス中の酸素の汲み出し又は汲み入れを行うことにより排気ガス中の酸素濃度に応じて値が変化する第１ポンピング電流Ｉｐ１が流れる。第２ポンピングセル１５０では、第１ポンピングセル１３０にて第１測定室１２１内における酸素濃度が調整された排気ガスに含まれるＮＯｘの濃度に応じて値が変化する第２ポンピング電流Ｉｐ２が流れる。
【００８１】
第１アンモニア検出部１０２および第２アンモニア検出部１０３はそれぞれ、排気ガスに含まれるアンモニアおよびＮＯ２の濃度に応じて値が変化する第１アンモニア起電力および第２アンモニア起電力を出力する。
【００８２】
またマルチガス検出装置は、濃度出力算出部４０４と、濃度算出部４０３，４０６，４０９とを備える。濃度算出部４０３，４０６は、第１ポンピング電流Ｉｐ１の値と、第１アンモニア起電力および第２アンモニア起電力の値とに基づいて、排気ガス中のアンモニア濃度およびＮＯ２濃度を算出するように構成される。
【００８３】
濃度出力算出部４０４および濃度算出部４０９は、濃度算出部４０３，４０６により算出されたアンモニア濃度およびＮＯ２濃度と、第２ポンピング電流Ｉｐ２の値とに基づいて、排気ガス中のＮＯｘ濃度を算出するように構成される。
【００８４】
またマルチガス検出装置は、加重平均算出部４０５と、加重平均算出部４０７，４０８とを備える。
加重平均算出部４０５は、第１ポンピングセル１３０における第１ポンピング電流Ｉｐ１の値の変化が濃度算出部４０６におけるＮＯ２濃度およびアンモニア濃度の算出に反映されるまでの時間をディジタルフィルタ処理により遅延させるように構成される。これにより、加重平均算出部４０５は、排気ガス中の酸素濃度に対応して変化する第１ポンピング電流Ｉｐ１の応答速度を、ディジタルフィルタ処理により遅延させる。
【００８５】
加重平均算出部４０７，４０８は、第１，２アンモニア検出部１０２，１０３における第１，２アンモニア起電力の値の変化が濃度算出部４０９におけるＮＯｘ濃度の算出に反映されるまでの時間をディジタルフィルタ処理により遅延させるように構成される。これにより、加重平均算出部４０７，４０８は、排気ガス中のアンモニア濃度およびＮＯ２濃度に対応して変化する第１，２アンモニア起電力の応答速度を、ディジタルフィルタ処理により遅延させる。
【００８６】
なお、本実施形態のマルチガスセンサ２（センサ素子部５）は、被測定ガス中の酸素濃度を調整し、酸素濃度が調整されたガス中のＮＯｘを分解する構成のＮＯｘ検出部１０１、および、混成電位式の第１，２アンモニア検出部１０２，１０３が一体化されており、被測定ガス（排気ガス）が流通する雰囲気に対して全ての検出部１０１，１０２，１０３が略同位置に配置される構成になっている。そして、このような構成においては、第１ポンピング電流Ｉｐ１、第２ポンピング電流Ｉｐ２および第１，２アンモニア起電力の応答速度の中では、第１ポンピング電流Ｉｐ１の応答速度が最も速く、第１，２アンモニア起電力の応答速度がその次に速く、第２ポンピング電流Ｉｐ２の応答速度が最も遅い傾向がある。
【００８７】
このようにマルチガス検出装置は、加重平均算出部４０５により第１ポンピング電流Ｉｐ１の応答速度を遅延させるため、第１ポンピング電流Ｉｐ１の応答速度と第１，２アンモニア起電力の応答速度との差を小さくすることができる。これにより、マルチガス検出装置は、第１ポンピング電流Ｉｐ１の値と第１，２アンモニア起電力の値を用いてアンモニア濃度およびＮＯ２濃度を算出するときに、第１ポンピング電流Ｉｐ１の応答速度と第１，２アンモニア起電力の応答速度の差の影響を抑制し、アンモニア濃度およびＮＯ２濃度の算出精度を向上させることができる。
【００８８】
さらに、マルチガス検出装置は、加重平均算出部４０７，４０８により第１，２アンモニア起電力の応答速度を遅延させるため、第１，２アンモニア起電力の応答速度と第２ポンピング電流Ｉｐ２の応答速度との差を小さくすることができる。これにより、マルチガス検出装置は、アンモニア濃度およびＮＯ２濃度を用いて、ＮＯｘ濃度を算出するときに、第１，２アンモニア起電力の応答速度と第２ポンピング電流Ｉｐ２の応答速度の差の影響を抑制し、ＮＯｘ濃度の算出精度を向上させることができる。
【００８９】
またマルチガス検出装置では、加重平均算出部４０５によるディジタルフィルタ処理と、加重平均算出部４０７，４０８によるディジタルフィルタ処理が、加重平均である。これにより、マルチガス検出装置は、加重平均という簡便なディジタルフィルタ処理で応答速度を遅延させることができるため、マルチガス検出装置の処理負荷を低減することができる。
【００９０】
なお、マイコン１９０は濃度算出装置に相当し、第１測定室１２１は測定室に相当し、排気ガスは被測定ガスに相当し、ＮＯｘ検出部１０１は第１検出部に相当する。
また、第１アンモニア起電力および第２アンモニア起電力は濃度信号に相当し、第１アンモニア検出部１０２および第２アンモニア検出部１０３は第２検出部に相当する。
【００９１】
また、加重平均算出部４０５は第１遅延部に相当し、加重平均算出部４０７，４０８は第２遅延部に相当し、濃度算出部４０３，４０６は第１濃度算出部に相当し、濃度出力算出部４０４および濃度算出部４０９は第２濃度算出部に相当する。
【００９２】
（第２実施形態）
以下に本発明の第２実施形態を図面とともに説明する。なお第２実施形態では、第１実施形態と異なる部分を説明する。共通する構成については同一の符号を付す。
【００９３】
第２実施形態のマルチガス検出装置は、マイコン１９０が実行するソフトウェア処理が変更された点が第１実施形態と異なる。
具体的には、マイコン１９０は、図５に示すように、加重平均算出部４０５，４０７，４０８の代わりに加重平均算出部４１５，４１７，４１８を備える点が第１実施形態と異なる。
【００９４】
加重平均算出部４１５は、酸素濃度を示すディジタルデータを濃度算出部４０３から取得し、今回酸素濃度と、前回酸素濃度との加重平均を算出する。本実施形態では、例えば、今回酸素濃度の重み係数は１、前回酸素濃度の重み係数は６０である。これにより、ＮＯｘ検出部１０１における酸素濃度に対する第１ポンピング電流Ｉｐ１の応答速度と、ＮＯｘ検出部１０１におけるＮＯｘ濃度に対する第２ポンピング電流Ｉｐ２の応答速度とを一致させることができる。
【００９５】
加重平均算出部４１７は、第１アンモニア起電力を示すディジタルデータをＬＰＦ４０１から取得し、今回取得したディジタルデータが示す第１アンモニア起電力（以下、今回第１アンモニア起電力）と、加重平均算出部４１７において前回算出した第１アンモニア起電力（以下、前回第１アンモニア起電力）との加重平均を算出する。本実施形態では、例えば、今回第１アンモニア起電力の重み係数は１、前回第１アンモニア起電力の重み係数は２０である。これにより、ＮＯｘ検出部１０１におけるＮＯｘ濃度に対する第２ポンピング電流Ｉｐ２の応答速度と、第１アンモニア検出部１０２におけるＮＯ２濃度とアンモニア濃度に対する第１アンモニア起電力の応答速度とを一致させることができる。
【００９６】
加重平均算出部４１８は、第２アンモニア起電力を示すディジタルデータをＬＰＦ４０２から取得し、今回取得したディジタルデータが示す第２アンモニア起電力（以下、今回第２アンモニア起電力）と、加重平均算出部４１８において前回算出した第２アンモニア起電力（以下、前回第２アンモニア起電力）との加重平均を算出する。本実施形態では、例えば、今回第２アンモニア起電力の重み係数は１、前回第２アンモニア起電力の重み係数は２０である。これにより、ＮＯｘ検出部１０１におけるＮＯｘ濃度に対する第２ポンピング電流Ｉｐ２の応答速度と、第２アンモニア検出部１０３におけるＮＯ２濃度とアンモニア濃度に対する第２アンモニア起電力の応答速度とを一致させることができる。
【００９７】
濃度算出部４０６は、第１アンモニア起電力を示すディジタルデータを加重平均算出部４１７から取得し、第２アンモニア起電力を示すディジタルデータを加重平均算出部４１８から取得し、酸素濃度を示すディジタルデータを加重平均算出部４１５から取得する。そして濃度算出部４０６は、「第１アンモニア起電力−第１アンモニア濃度出力関係式」、「第２アンモニア起電力−第２アンモニア濃度出力関係式」および「第１アンモニア濃度出力＆第２アンモニア濃度出力＆酸素濃度出力−補正アンモニア濃度関係式」に基づいて、アンモニア濃度を算出する。また濃度算出部４０６は、「第１アンモニア濃度出力＆第２アンモニア濃度出力＆酸素濃度−補正ＮＯ２濃度関係式」に基づいて、ＮＯ２濃度を算出する。
【００９８】
濃度算出部４０９は、アンモニア濃度を示すディジタルデータを濃度算出部４０６から取得し、ＮＯ２濃度を示すディジタルデータを濃度算出部４０６から取得し、酸素濃度を示すディジタルデータを加重平均算出部４１５から取得し、ＮＯｘ濃度出力を示すディジタルデータを濃度出力算出部４０４から取得する。そして濃度算出部４０９は、「ＮＯｘ濃度出力＆補正アンモニア濃度＆補正ＮＯ２濃度−補正ＮＯｘ濃度関係式」に基づいて、ＮＯｘ濃度を算出する。
【００９９】
このように構成されたマルチガス検出装置は、加重平均算出部４１５と、加重平均算出部４１７，４１８とを備える。
加重平均算出部４１５は、第１ポンピングセル１３０における第１ポンピング電流Ｉｐ１の値の変化が濃度算出部４０６におけるＮＯ２濃度およびアンモニア濃度の算出に反映されるまでの時間をディジタルフィルタ処理により遅延させるように構成される。これにより、加重平均算出部４１５は、排気ガス中の酸素濃度に対応して変化する第１ポンピング電流Ｉｐ１の応答速度を、ディジタルフィルタ処理により遅延させる。
【０１００】
加重平均算出部４１７，４１８は、第１アンモニア検出部１０２および第２アンモニア検出部１０３における第１，２アンモニア起電力の値の変化が濃度算出部４０９におけるＮＯｘ濃度の算出に反映されるまでの時間をディジタルフィルタ処理により遅延させるように構成される。これにより、加重平均算出部４１７，４１８は、排気ガス中のアンモニア濃度およびＮＯ２濃度に対応して変化する第１，２アンモニア起電力の応答速度を、ディジタルフィルタ処理により遅延させる。
【０１０１】
これにより、マルチガス検出装置は、第１ポンピング電流Ｉｐ１の応答速度と第１，２アンモニア起電力の応答速度との差の影響を抑制し、アンモニア濃度およびＮＯ２濃度の算出精度を向上させることができる。さらにマルチガス検出装置は、第１，２アンモニア起電力の応答速度と第２ポンピング電流Ｉｐ２の応答速度との差の影響を抑制し、ＮＯｘ濃度の算出精度を向上させることができる。
【０１０２】
なお、加重平均算出部４１５は第１遅延部に相当し、加重平均算出部４１７，４１８は第２遅延部に相当する。
以上、本開示の一実施形態について説明したが、本開示は上記実施形態に限定されるものではなく、種々変形して実施することができる。
【０１０３】
例えば上記実施形態では、ディジタルフィルタ処理が加重平均であるものを示した。しかし、ディジタルフィルタ処理は、加重平均に限定されるものではなく、応答速度を遅延させることができればよく、例えばＩＩＲフィルタが挙げられる。ＩＩＲは、Infinite impulse responseの略である。
【０１０４】
また上記実施形態では、濃度算出部４０３で算出されたディジタルデータに対して加重平均算出部４０５においてディジタルフィルタ処理を行うものを示した。しかし、第１ポンピング電流Ｉｐ１を示すディジタルデータに対して加重平均処理を行い、加重平均処理を行った後のディジタルデータを用いて濃度算出部４０３において酸素濃度を算出するようにしてもよい。
【０１０５】
また上記実施形態では、ＬＰＦ４０１，４０２から出力されたディジタルデータに対して加重平均算出部４１７，４１８においてディジタルフィルタ処理を行うものを示した。しかし、第１，２アンモニア起電力を示すディジタルデータに対して加重平均処理を行い、加重平均処理を行った後のディジタルデータをＬＰＦ４０１，４０２へ出力するようにしてもよい。
【０１０６】
上記各実施形態における１つの構成要素が有する機能を複数の構成要素に分担させたり、複数の構成要素が有する機能を１つの構成要素に発揮させたりしてもよい。また、上記各実施形態の構成の一部を、省略してもよい。また、上記各実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【０１０７】
上述したマイコン１９０の他、当該マイコン１９０を構成要素とするシステム、当該マイコン１９０としてコンピュータを機能させるためのプログラム、このプログラムを記録した半導体メモリ等の非遷移的実態的記録媒体、濃度算出方法など、種々の形態で本開示を実現することもできる。
【符号の説明】
【０１０８】
２…マルチガスセンサ、３…制御部、５…センサ素子部、１０１…ＮＯｘ検出部、１０２…第１アンモニア検出部、１０３…第２アンモニア検出部、１２１…第１測定室、１３０…第１ポンピングセル、１５０…第２ポンピングセル、１９０…マイコン、４０５，４０７，４０８，４１５，４１７，４１８…加重平均算出部
【図１】
2018040723.tif 000003
【図２】
2018040723.tif 000004
【図３】
2018040723.tif 000005
【図４】
2018040723.tif 000006
【図５】
2018040723.tif 000007